(57)【特許請求の範囲】
【請求項１】
柄の一端に設けられたベース部の一方側の面にブラシ部を備え、前記ベース部の一方側の面と反対側になる他方側の面に、末広がり形状の凸部が複数形成してあると共に、前記ベース部を貫通する貫通穴が形成してあるヘアブラシにおいて、
前記貫通穴は、複数の凸部の中で隣り合う凸部同士の対向する斜面の間で開口してあることを特徴とするヘアブラシ。
【請求項２】
前記貫通穴は、前記他方側から前記一方側へ穴寸法が小さくなるように形成してある請求項１に記載のヘアブラシ。
【請求項３】
前記凸部は、前記他方側の面上を一方向へ連なるように形成してあり、
前記貫通穴は、前記凸部の連なる方向と平行的な方向へ間隔を隔てて複数形成してある請求項１又は請求項２に記載のヘアブラシ。
【請求項４】
前記一方向へ連なる形状の複数の凸部が、それぞれ平行的な配置になるように形成してある請求項３に記載のヘアブラシ。
【請求項５】
前記凸部は４以上であり、
凸部同士の間隔は、前記一方向と直交的な方向で中央側の箇所が端側となる箇所に比べて大きくしてあり、
前記中央側の箇所に位置する貫通穴は、前記端側となる箇所に位置する貫通穴に比べて、穴寸法が大きくしてある請求項４に記載のヘアブラシ。
【請求項６】
前記ベース部は、前記他方側の面の外周形状が楕円状であり、
前記貫通穴は、楕円状の穴形状にしてあり、前記ベース部の長手方向に前記穴形状の長手方向を略一致させてある請求項１乃至請求項５のいずれか１項に記載のヘアブラシ。
【請求項７】
前記ブラシ部は、複数のブラシ毛またはブラシピンを有するブラシ基体を備え、
前記ブラシ基体を貫通する孔部が形成してある請求項１乃至請求項６のいずれか１項に記載のヘアブラシ。
【請求項８】
前記ブラシピンは、前記ブラシ基体に埋設してあると共に、ピン軸方向に貫通するピン孔が形成してあり、
前記ブラシ基体の前記ブラシピンの埋設箇所に、埋設してあるブラシピンのピン孔に連通する連通孔が形成してある請求項７に記載のヘアブラシ。
【請求項９】
前記ベース部の他方側の面へ向けて吹き付けられた風が前記柄の方へ流れるのを遮る遮風部を、前記柄の一端側の箇所に突設してある請求項１乃至請求項８のいずれか１項に記載のヘアブラシ。
【発明の詳細な説明】
【技術分野】
【０００１】
本発明は、ヘアブラシとドライヤを併用する場合に、ドライヤの風が、ヘアブラシに設けた貫通穴を通り抜けてスムーズにブラシ側へ送り込まれるようにしたヘアブラシに関する。
【背景技術】
【０００２】
従来、ヘアブラシとドライヤを併用してブラッシングまたは整髪などを行う場合に、ヘアブラシで遮られる頭髪箇所へもドライヤの風を送り込めるようにするため、ヘアブラシ自体にドライヤの風を通過させる貫通穴を設けたブラシが存在する。
【０００３】
例えば、下記の特許文献１では、ブラシ基体のブリッスル（ブラシ毛）の植毛基部にドライヤの風を通過させる透光窓（貫通穴）を形成したヘアブラシが開示されている。また、特許文献２では、ブラシ毛を配列固定したブラシ毛配列体を把持部に嵌合する構成の整髪用ブラシにおいて、ブラシ毛配列体および把持部のそれぞれに貫通穴を設けた構造が開示されている。さらに、特許文献３では、ブラシ本体の背面側からブラシ部材の正面側へ向かってドライヤの風を通気させる貫通穴を設けた構造のヘアブラシが開示されている。
【０００４】
なお、下記の特許文献４では、複数のブラシピンを突設したピン突設体を、別部材であるブラシ本体に取り付けた構成のヘアブラシが開示されている。このヘアブラシは、背面に複数の凹凸を形成したブラシ本体に貫通穴を穿設しているが、貫通穴のピン突設体側の開口はピン突設体の取付面で閉鎖されているので、特許文献４に係るヘアブラシの貫通穴は、ドライヤの風を通過させることはできない状態になっている。
【特許文献１】特開平７−２８９３４８号公報
【特許文献２】特開２０００−１５７３３７号公報
【特許文献３】特開２００４−８６６９号公報
【特許文献４】意匠登録第１２９７６８５号公報
【発明の開示】
【発明が解決しようとする課題】
【０００５】
上述した特許文献１〜３に係るヘアブラシは、いずれも貫通穴を有するが、ドライヤの風が当たる背面は凹凸のない一様な面構成であるため、背面へ吹き付けられたドライヤの風を貫通穴へ導くようになっていないことから、ヘアブラシの風が貫通穴以外の方向へも流れるので、貫通穴を通過する風量が不足すると云う問題があった。そのため、ドライヤを併用してヘアブラシでブラッシングまたは整髪などを行う場合に、使用中のヘアブラシで遮られる頭髪箇所へ十分な風量を送れない状況になっており、頭髪の乾燥または所望のスタイリングにセットすること等をスピーディに行うことが困難になる場合があった。
【０００６】
本発明は斯かる問題に鑑みてなされたものであり、ドライヤからの風をスムーズに貫通穴へ導くようにして、ヘアブラシで遮られる頭髪箇所へ十分な風量を効率良く送れるようにしたヘアブラシを提供することを目的とする。
【課題を解決するための手段】
【０００７】
本発明に係るヘアブラシは、柄の一端に設けられたベース部の一方側の面にブラシ部を備え、前記ベース部の一方側の面と反対側になる他方側の面に、末広がり形状の凸部が複数形成してあると共に、前記ベース部を貫通する貫通穴が形成してあるヘアブラシにおいて、前記貫通穴は、複数の凸部の中で隣り合う凸部同士の対向する斜面の間で開口してあることを特徴とする。
【０００８】
本発明にあっては、末広がり形状の複数の凸部の中で、隣り合う凸部同士の対向する斜面の間に、貫通穴の開口が形成してあるので、ベース部の他方側の面に吹き付けられたドライヤの風は、末広がり形状の複数の凸部により、先ず凸部同士の間へ流れ込むようになる。また、凸部同士の間へ流れ込んだ風は、対向する凸部の斜面に沿って進んでから、両側の斜面の間に開口した貫通穴へ入り込む。そのため、ドライヤの風を貫通穴へ効率良く導けるようになり、貫通穴を通過する風量を従来の貫通穴を設けたヘアブラシに比べて増加させることができる。
【０００９】
本発明に係るヘアブラシは、前記他方側から前記一方側へ前記貫通穴の穴寸法が小さくなるようにしてあることを特徴とする。
本発明にあっては、他方側から一方側へ穴寸法が小さくなるように貫通穴が形成してあるので、他方側の大きい穴寸法の開口でドライヤの風をスムーズに貫通穴へ取り込めるようになると共に、取り込んだドライヤの風を、徐々に穴寸法が小さくなる一方側から勢いよく排出できるようになる。そのため、ドライヤの風を、ヘアブラシで遮られる頭髪箇所へ、十分な風量を含む勢いのある流れで送り込めるようになる。
【００１０】
本発明に係るヘアブラシは、前記凸部が、前記他方側の面上を一方向へ連なるように形成してあり、前記貫通穴は、前記凸部の連なる方向と平行的な方向へ間隔を隔てて複数形成してあることを特徴とする。
本発明にあっては、凸部を一方向へ連なる形状にするので、貫通穴を凸部の連なる方向へ所要の間隔で規則的に複数形成できるようになり、規則的に並んだ複数の貫通穴を通じて、ドライヤの風を多量にヘアブラシで被われる頭髪箇所へ送り込めるようになる。
【００１１】
本発明に係るヘアブラシは、前記一方向へ連なる形状の複数の凸部が、それぞれ平行的な配置になるように形成してあることを特徴とする。
本発明にあっては、複数の凸部が平行的に配置されるので、それに伴い、凸部間に設けられる貫通穴が、ベース部の他方側の面全体で格子的な配置となり、貫通穴の開口の総面積を広くできる。その結果、多くの貫通穴を通じてドライヤの風を多量に通過させることができ、使用中のヘアブラシで被われる頭髪箇所へ多量の風を送り込める。
【００１２】
本発明に係るヘアブラシは、前記凸部が４以上であり、凸部同士の間隔は、前記一方向と直交的な方向で中央側の箇所が端側となる箇所に比べて大きくしてあり、前記中央側の箇所に位置する貫通穴は、前記端側となる箇所に位置する貫通穴に比べて、穴寸法が大きくしてあることを特徴とする。
本発明にあっては、平行的に並列する複数の凸部に対して、並列する方向の中央側における凸部同士の間隔を、端側よりも大きくすると共に、中央側の凸部間に設けた貫通穴の穴寸法を端側の凸部間に設けた貫通穴より大きくするので、並列する方向の中央側付近に吹き付けられたドライヤの風を効率良く通過させることができる。すなわち、ヘアブラシとドライヤを併用する場合、一般にドライヤの風が、ヘアブラシの端側よりも中央側の付近に当たるようにドライヤが使用されることが多いため、凸部および貫通穴の構成を上記のようにすることで、一般的なドライヤの使い方にあわせて、ドライヤの風を効率良くヘアブラシで被われる頭髪箇所へ導くことができる。
【００１３】
本発明に係るヘアブラシは、前記ベース部が、前記他方側の面の外周形状が楕円状であり、前記貫通穴は、楕円状の穴形状にしてあり、前記ベース部の長手方向に前記穴形状の長手方向を略一致させてあることを特徴とする。
本発明にあっては、ベース部の外周形状および貫通穴の穴形状の両方を楕円状にすると共に、両方の長手方向を一致させるので、複数の貫通穴を高い密度で配置できるようになり、複数の貫通穴の総開口面積を大きく確保して、より多量のドライヤの風をヘアブラシで遮られる頭髪箇所へ送り込めるようになる。
【００１４】
本発明に係るヘアブラシは、前記ブラシ部が、複数のブラシ毛またはブラシピンを有するブラシ基体を備え、前記ブラシ基体を貫通する孔部が形成してあることを特徴とする。
本発明にあっては、ヘアブラシが、ブラシ部として複数のブラシ毛またはブラシピンを有するブラシ基体をベース部の一方側の面に設ける構成であっても、ブラシ基体にも孔部が形成してあるので、ベース部の貫通穴を通り抜けたドライヤの風が、ブラシ基体の孔部も抜けてヘアブラシで被われた頭髪箇所へ到達する。そのため、ベース部に直接的にブラシ部が設けられる構造のヘアブラシ以外に、ベース部と別体のブラシ基体を有する構造のヘアブラシに対しても、ドライヤの風をスムーズにヘアブラシ内を通過させることができる。
【００１５】
本発明に係るヘアブラシは、前記ブラシピンが、前記ブラシ基体に埋設してあると共に、ピン軸方向に貫通するピン孔が形成してあり、前記ブラシ基体の前記ブラシピンの埋設箇所に、埋設してあるブラシピンのピン孔に連通する連通孔が形成してあることを特徴とする。
本発明にあっては、ブラシ基体に埋設されたブラシピンにピン孔が貫通してあると共に、ブラシ基体のブラシピンの埋設箇所には、ピン孔に連通する連通孔が形成してあるので、ベース部を通過したドライヤの風が、ブラシ基体の連通孔からピン孔を抜けてブラシピンからも吹き出るようになる。そのため、ブラシピンのピン先から吹き出されるドライヤの風を、ブラッシングまたは整髪などに係る美容技法に利用できると共に、ユーザの頭皮をピンポイント的に刺激することなども可能になる。
【００１６】
本発明に係るヘアブラシは、前記ベース部の他方側の面へ向けて吹き付けられた風が前記柄の方へ流れるのを遮る遮風部を、前記柄の一端側の箇所に突設してあることを特徴とする。
本発明にあっては、ベース部の他方側の面に吹き付けたドライヤの風が、突設した遮風部により柄の方へ流れることが遮られるので、ドライヤから吹き出す風の種類を温風にしても、ヘアブラシの柄を把持するユーザの手が温風に晒されることがなくなり、ドライヤの温風を気にすることなくヘアブラシを用いた作業を集中して行うことができる。
【発明の効果】
【００１７】
本発明にあっては、末広がり形状の複数の凸部同士の間に開口するように貫通穴を形成するため、ベース部の他方側の面に吹き付けられたドライヤの風を、両側の凸部の傾斜面でスムーズに貫通穴へ導くことができる。
また、本発明にあっては、ベース部の他方側から一方側へ穴寸法が小さくなるように貫通穴を形成するので、他方側の大きい穴寸法の開口からドライヤの風を多量に貫通穴へ取り込めると共に、取り込んだドライヤの風を小さな穴寸法の一方側から勢いよく吹き出させることができる。
【００１８】
さらに、本発明にあっては、凸部を一方向へ連なる形状にするので、貫通穴を凸部の連なる方向へ所要の間隔で規則的に複数形成でき、規則的に並んだ複数の貫通穴を通じて、ドライヤの風を多量にヘアブラシのブラシ部側へ送り込める。
さらにまた、本発明にあっては、複数の凸部を平行的に配置することで、凸部同士の間に設けられる貫通穴の配置を、ベース部の他方側の面全体で格子的な状態にでき、配置された貫通穴の開口の総面積を増大して、多数の貫通穴を通じてドライヤの風を多量に通過させることができる。
【００１９】
本発明にあっては、平行的に並列する複数の凸部に対して、並列する方向の中央側における凸部同士の間隔を、端側よりも大きくすると共に、中央側の凸部同士の間に設けた貫通穴の穴寸法を端側の凸部同士の間に設けた貫通穴より大きくするので、実際のヘアブラシとドライヤの使用状態にあわせて、並列する方向の中央側付近に吹き付けられたドライヤの風を効率良く通過させることができる。
また、本発明にあっては、ベース部の外周形状および貫通穴の穴形状の両方を楕円状にすると共に、両方の長手方向を一致させるので、複数の貫通穴を高い密度で配置でき、複数の貫通穴の総開口面積を大きく確保して、より多量の風をヘアブラシのブラシ部側へ送り込むことができる。
【００２０】
本発明にあっては、ヘアブラシが、ブラシ部として複数のブラシ毛またはブラシピンを有するブラシ基体をベース部の一方側の面に設ける構成であっても、ブラシ基体にも孔部を形成するので、ベース部の貫通穴を通り抜けたドライヤの風を、ブラシ基体の孔部を通じてヘアブラシで遮られた頭髪箇所へ送り込める。
また、本発明にあっては、ブラシ基体に埋設されたブラシピンにピン孔が貫通してあると共に、ブラシ基体のブラシピンの埋設箇所に、ピン孔に連通する連通孔を形成するので、ブラシピンからもドライヤの風を吹き出させることができる。
【００２１】
本発明にあっては、ベース部の他方側の面に吹き付けたドライヤの風を、突設した遮風部で遮るので、ドライヤから温風を吹き出しても、柄を把持するユーザの手がドライヤからの温風に晒されることがなくなり、ヘアブラシを用いた作業に集中しやすい状況を提供できる。
【発明を実施するための最良の形態】
【００２２】
図１（ａ）は、本発明の第１実施形態に係るヘアブラシ１の背面側からの斜視図であり、図１（ｂ）は正面側からの斜視図である。本実施形態のヘアブラシ１は、ドライヤとの同時使用に好適なブラシであり、ドライヤからの風をヘアブラシ１に設けた貫通穴８ａ〜８ｆへスムーズに導いて、使用中のヘアブラシ１で遮られる頭髪箇所へも効率良くドライヤの風を送れるようにしたことを特徴としている。
【００２３】
ヘアブラシ１は、柄７の一端７ｄに連結した略楕円形状のベース部２の正面側の面（一方側の面に相当）に、多数のブラシ毛６を有するブラシ部９を嵌合固定した構造であり、柄７およびベース部２は合成樹脂で一体成型されており、ブラシ部９を構成する部材が柄７およびベース部２と別体になっている。以下、ヘアブラシ１の各部を詳説する。なお、図１（ａ）（ｂ）に示すＸ軸の方向はヘアブラシ１の幅方向に一致し、Ｘ軸に直交するＹ軸の方向はヘアブラシ１の長手方向（柄７の長手方向と同じ）に一致し、Ｘ軸およびＹ軸の両方に直交するＺ軸の方向はヘアブラシ１の厚み方向に一致する（以下、他の図でも同様）。
【００２４】
図３に示すように、ヘアブラシ１は、ベース部２の楕円状の背面２ａ（正面側の面と反対側になる他方側の面に相当）に、計７つの第一凸部４ａ〜第七凸部４ｇを形成している。各凸部４ａ〜４ｇは頂部から背面２における突出元の箇所へ形状的に末広がりになっており、図１（ａ）、図２に示すように、各凸部４ａ〜４ｇのそれぞれはＸ軸方向へ連なった形状になっている。また、各凸部４ａ〜４ｇは、ベース部２の背面２ａ上をＹ軸方向に複数形成されているので、ベース部２の背面全体では、Ｘ軸方向に連なった各凸部４ａ〜４ｇがＹ軸方向へ所定の間隔を隔てて平行的な配置になっている。そのため、ベース部２ａの背面２ａは全体として、なだらかに波打った凹凸形状になっている。
【００２５】
また、各凸部４ａ〜４ｇの間隔は、ベース部２における場所に応じて相異したものになっている。具体的には、図３に示すように、Ｙ軸方向において、ベース部２の中央側となる箇所に設けられた第四凸部４ｄと第五凸部４ｅとの間隔Ｐ４（頂部間の間隔）が最大であり、第三凸部４ｃと第四凸部４ｄとの間隔Ｐ３および第五凸部４ｅと第六凸部４ｆとの間隔Ｐ５が２番目に大きく、第二凸部４ｂと第三凸部４ｃとの間隔Ｐ２および第六凸部４ｆと第七凸部４ｇとの間隔Ｐ６が３番目に大きく、Ｙ軸方向の端側となる箇所に設けられた第一凸部４ａと第二凸部４ｂとの間隔Ｐ１が最小になっている。
【００２６】
また、ヘアブラシ１は、上述した各凸部同士間の窪んだ箇所３ａ〜３ｆのそれぞれに、ベース部２を貫通する貫通穴８ａ〜８ｆを形成している。詳しくは、各凸部の隣り合う一方の凸部（例えば、第四凸部４ｄ）の斜面（例えば、斜面４ｄ−１）と、他方の凸部（例えば、第五凸部４ｅ）の斜面（例えば、斜面４ｄ−１に対向する斜面４ｅ−１）との間の箇所（例えば、箇所３ｄ）に開口するように、貫通穴（例えば、貫通穴８ｄ）が形成されている。
【００２７】
これらの貫通穴８ａ〜８ｆは、図３における断面方向で、ベース部２の背面２ａからブラシ部９が嵌合固定される正面２ｅへと、穴寸法（内径寸法）が徐々に小さくなるテーパ形状で形成されている。また、各貫通穴８ａ〜８ｆは、図２に示すように穴形状（開口の形状も含む）が楕円になっており、この各貫通穴８ａ〜８ｆの楕円の穴形状の向きは、長手方向がベース部２の長手方向（Ｙ軸方向）に楕円の穴形状の長手方向が一致するように形成してある。
【００２８】
さらにまた、図１（ａ）、図２に示すように、各貫通穴８ａ〜８ｆは、Ｘ軸方向へ所定の間隔を隔てて複数形成されている。すなわち、第一凸部４ａと第２凸部４ｂとの間には、計３個の貫通穴８ａがＸ軸方向へ並んで形成されており、以下、第二凸部４ｂと第三凸部４ｃとの間には計５個の貫通穴８ｂが形成されており、第三凸部４ｃと第四凸部４ｄとの間には計７個の貫通穴８ｃが形成されており、第四凸部４ｄと第五凸部４ｅとの間には計７個の貫通穴８ｄが形成されており、第五凸部４ｅと第六凸部４ｆとの間には計５個の貫通穴８ｅが形成されており、第六凸部４ｆと第七凸部４ｇとの間には計３個の貫通穴８ｄが形成されている。
【００２９】
また、各貫通穴８ａ〜８ｆの相対的な穴寸法（内径寸法）は、形成される箇所に該当する凸部同士の相対的な間隔に応じたものになっており、最大の間隔Ｐ４に形成される貫通穴８ｄの穴寸法が最大であり、２番目の大きさの間隔Ｐ３、Ｐ５に形成される貫通穴８ｃ、８ｅの穴寸法が２番目に大きく、３番目の大きさの間隔Ｐ２、Ｐ６に形成される貫通穴８ｂ、８ｆの穴寸法が３番目に大きく、最小の間隔Ｐ１に形成される貫通穴８ａが最小の穴寸法になっている。よって、このような穴寸法の貫通穴８ａ〜８ｆが、ベース部２の背面２ａにおいて格子状に配置されると共に、楕円形状の穴がベース部２の外周形状と同じ向きになっているため、本発明のヘアブラシ１は、限られた面積の背面２ａに各貫通穴８ａ〜８ｆを多数配置した構成になっている。
【００３０】
なお、図１（ｂ）、図３に示すように、背面２ａおよび正面２ｅにおける外周形状が楕円のベース部２は、ブラシ部９を取り付ける正面２ｅの側の周囲に縁部２ｆを立設し、その縁部２ｆの内周側を窪ませて、ブラシ部９を嵌合する嵌合部２ｈにしている。また、図２に示すように、ベース部２は、周囲外周に湾曲した複数の谷部２ｃおよび山部２ｄを形成し、背面２ａの凹凸形状とあわせてヘアブラシ１のデザイン的な特徴にすると共に、ベース部２の外周をユーザが把持する際に、湾曲した谷部２ｃに指が入りやすくして、実用面では滑り止めとして機能するようにしている。
【００３１】
さらに、ヘアブラシ１は、ベース部２から突出する柄７の外周にも、ベース部２と同様に、谷部７ｂおよび山部７ｃを形成しており、ヘアブラシ１の外周全体が波打ったようなイメージでデザインすると共に、ベース部２の場合と同様に滑り止めとしても機能させている。さらにまた、ヘアブラシ１は、柄７に計３個の楕円穴７ａ（柄７を貫通する穴）を形成しており、柄７を把持するユーザの手が楕円穴７ａを通じて外気に触れるようにして、汗や整髪剤などで滑りやすくなるユーザの手が早く乾燥するようにしている（乾燥すれば、滑りにくくなる）。なお、柄７は、図３に示すように、一端７ｄにおけるベース部２との連結箇所を屈曲させて、Ｚ軸方向において、ベース部２から距離αだけ柄７をオフセットさせている。このオフセットにより、柄７を把持するユーザの手とベース部２に固定されるブラシ部９との間におけるＺ軸方向の距離的な差が充分となり、ヘアブラシ１を使用する際に、柄７を把持する手と、ヘアブラシ１の使用対象となる頭部が干渉しにくくなる。
【００３２】
一方、図１（ｂ）、図３に示すベース部２の嵌合部２ｈに嵌合されるブラシ部９は、球の周面の一部を切り取ったような湾曲形状のクッション部材５（ブラシ基体に相当）に複数のブラシ毛６を規則的に埋設した構造になっている。クッション部材５は、可撓性を有する合成樹脂製の部材であり、ブラシ毛６を埋設するカップ状の埋設部５ｂを湾曲した内方へ複数突出させると共に、各埋設部５ｂの間にクッション部材５を貫通する複数の孔部５ａを形成している。このようなブラシ部９は、周囲部分がベース部２の嵌合部２ｈに嵌め込まれることで、ヘアブラシ１が完成し、ブラシ部９のクッション部材５とベース部２の正面２ｅとの間は中空となり、自由に風が進行できる状態になっている。
【００３３】
次に、図４に基づき、上述した構成のヘアブラシ１をドライヤＸと併用する状況について説明する。ヘアブラシ１でブラッシングまたは整髪などを行う際に、ヘアブラシ１の背面２ａへドライヤＸから風を吹き付ける場合を想定する。この場合、背面２ａに吹き付けられた風は、背面２ａに多数形成された各凸部４ａ〜４ｇにより整流され、各凸部４ａ〜４ｇの斜面に沿って斜面間に位置する各貫通穴８ａ〜８ｆへ自然と流れ込んでベース部２を通過する。なお、図２に示すように、各貫通穴８ａ〜８ｆは、背面２ａ上で格子状に多数配置されているので、ベース部２を通過するヘアブラシＸの風の量を充分に確保することができる。また、各貫通穴８ａ〜８ｆは、図３、４に示すように、正面２ｅ側へ穴寸法を小さくしたテーパ形状になっているので、内径の狭まりに従って各貫通穴８ａ〜８ｆを通過する風の風速が高まり、ドライヤＸの風が勢いよく各貫通穴８ａ〜８ｆから流れ出るようにしている。
【００３４】
各貫通穴８ａ〜８ｆを流れ出た風は、ブラシ部９のクッション部材５に設けられた複数の孔部５ａを通過し、ヘアブラシ１で遮られる頭髪箇所へ、ドライヤＸからの風が、従来の貫通穴を形成したヘアブラシに比べて多くの風量でスムーズに届くようになる。それにより、ドライヤＸから吹き出される風を利用して、本発明に係るヘアブラシ１で頭髪の乾燥または頭髪のセットなどを一段と効率良く行うことができる。
【００３５】
なお、第１実施形態に係るヘアブラシ１は上述した説明の内容に限定されるものではなく、種々の変形例が存在する。例えば、例えば、ベース部２および柄７は一体成型しているが、別々の部材を連結して構成するようにしてもよい。また、ベース部２または柄７は、材質として合成樹脂以外に、木製の材料を使って成形することも可能である。このようにベース部２または柄７を木製にする場合は、炭を混ぜた塗料を浸漬すれば、静電気の帯電を防止でき、静電気による整髪作業の妨げを阻止するのに好適となる。
【００３６】
また、ベース部２に設ける貫通穴８ａ〜８ｆは、穴寸法を背面２ａ側から正面２ｂ側へ小さくするテーパ状に形成する以外に、対象となるブラシ寸法またはベース部２の厚み等によっては、穴寸法が変化しないストレート穴にしてもよい。すなわち、図５（ａ）の変形例のヘアブラシ２０に示すように、ベース部２１の背面２１ａに形成した凸部２４間の窪んだ箇所２３に設ける貫通穴２５をストレート穴で形成してもよい。さらに、貫通穴８ａ〜８ｆの穴形状（開口の形状）は、楕円に限定されるものではなく、ベース部２の背面２ａの外周形状などに応じて、図５（ｂ）に示すように円形、図５（ｃ）に示すように四角形（正方形）、その他の多角形などにすることも可能である。なお、上述したように貫通穴をストレート穴で且つ穴形状を円にすれば、ドリルで貫通穴を形成することも可能になる。
【００３７】
また、ドライヤＸが吹き出す風を、ドライヤＸから温風を吹き出すようにしても、温風による熱で柄を把持するユーザの手が晒されないようにするためには、柄のベース部と繋がる一端側の箇所またはベース部の柄と繋がる側の箇所に遮風部を突設することが考えられる。
【００３８】
図６（ａ）（ｂ）は、柄３２の一端３２ａに鍔状の遮風部３３を設けた変形例のヘアブラシ３０を示している。図６（ｂ）に示すように、ベース部３１の背面３１ａへ向けてドライヤＸから風を吹き付けた場合、柄３２の方へ向かう風Ｋ１が、遮風部３３のベース部３１側の面３３ａにより、進む向きがベース部３１の正面側へ変えられる。そのため、遮風部３３がヒートプロテクタの役目を果たし、柄３２を把持する手が温風の熱に晒されることも無くなると共に、ヘアブラシ３２の正面側へ流れるドライヤの風量をより多くすることができる。
【００３９】
図７（ａ）（ｂ）は、遮風部を突設した別の変形例のヘアブラシ４０を示している。この変形例のヘアブラシ４０では、柄４２の一端４２ａに突設した遮風部４３の形状および突設角度を、図６（ａ）（ｂ）の遮風部３３と相異させており、ベース部４１の背面４１ａ側となる遮風部４３の端部４３ａが、図７（ｂ）において下方に下がるよう全体を左下がり形成すると共に、ベース部４１の正面側には突出しないようにしたことが特徴となっている。この変形例の遮風部４３では、端部４３ａを下げてベース部４１側の面４３ｂを斜面にすることで、図６（ａ）（ｂ）の遮風部３３に比べて、より広範囲でドライヤＸから吹き出される風を遮ることを可能にしている。さらに、遮風部４３で受け止めた風をベース部４１の背面４１ａ側へ進ませるようにして、ベース部４１を通過する風量の増大にも役立てている。
【００４０】
図８は、さらに別の変形例の遮風部４３′を設けたヘアブラシを示している。この変形例の遮風部４３′は、図７（ｂ）に示す遮風部４３と異なる角度で形成されていることが特徴である。具体的に遮風部４３′は、ベース部４１′の背面４１ａ′側へ面４３ｂ′が反り返るように端部４３ａ′が、突設元となる柄の一端４２ａ′の箇所から上方へ位置するように形成されている。このような形状により、変形例の遮風部４３′は、ドライヤＸからの風を遮る角度範囲を広くして、柄を把持するユーザの手を熱風から十分に保護できるようにしている。なお、図６〜８の遮風部３３、４３、４３′は、柄３２、４２の一端３２ａ、４２ａ、４２ａ′に設けた場合を示しているが、ベース部３１、４１、４１′の柄３２、４２と連なる側の箇所に遮風部３３、４３、４３′を設けることも可能である。
【００４１】
また、図９（ａ）（ｂ）のヘアブラシ５０は、各凸部５１ｃの連なる方向を、Ｘ軸方向ではなく、Ｙ軸方向にした変形例を示している。すなわち、変形例のヘアブラシ５０では、Ｙ軸方向に沿って凸部５１ｃが連なっていると共に、複数の凸部５１ｃはＸ軸方向に間隔をあけて平行的に配置されている。また、各凸部５１ｃの間の窪んだ箇所５１ｂに形成した貫通穴５２は、Ｙ軸方向を長手方向にした楕円状にしているので、Ｙ軸方向に連なる凸部同士の間に規則正しく収まり、多数の貫通穴５２を配置可能にしている。
【００４２】
さらに、図１０（ａ）（ｂ）のヘアブラシ６０は、各凸部６１ｃの連なる方向を、Ｘ軸、Ｙ軸方向ではなく、Ｘ軸とＹ軸との間の方向（例えば、Ｘ軸に対して約４５度の斜めの方向）にした変形例を示している。この変形例のヘアブラシ６０では、Ｘ軸に対して斜めの方向に沿って凸部６１ｃが連なっていると共に、複数の凸部６１ｃは、凸部６１ｃが連なる方向と直交的な方向に間隔をあけて平行的に配置されている。また、各凸部６１ｃの間の窪んだ箇所６１ｂに形成した貫通穴６２も、凸部６１ｃが連なる方向を長手方向にした楕円状にして、貫通穴６２の配置数の増大を図っている。なお、図１０（ａ）では、凸部６１ｃの連なる方向を右上がりにしているが、右下がりにすることも勿論可能である。
【００４３】
さらにまた、図１１（ａ）〜（ｃ）のヘアブラシ７０は、ベース部７１の背面７１ａに二方向へそれぞれ連なる二種類の凸部７３、７４を形成した変形例を示し、一方の凸部７４の連なる方向を、Ｘ軸とＹ軸との間の方向（例えば、Ｘ軸に対して約４５度の斜めの方向）にすると共に、他方の凸部７４の連なる方向を、一方の凸部７３が連なる方向と直交する方向となるようにしている。さらに、ヘアブラシ６０は、複数の各凸部７３、７４の間の窪んだ箇所７５に貫通穴７２を形成している。よって、各貫通穴７２は、周囲全体が凸部７３、７４で囲まれるため、全周囲方向からドライヤの風が流れ込むようになり、より多量の風をヘアブラシ７０の正面側へ送り込むことができる。なお、図１１（ａ）〜（ｃ）では、全周囲方向から風が流れ込むので、貫通穴７２の穴形状（開口形状）を円にしているが、上述した他の形状（楕円、多角形など）にすることも勿論可能である。また、各凸部７３、７４を、Ｘ軸およびＹ軸に対して斜め方向へ連なるのではなく、Ｘ軸およびＹ軸に沿った方向に連なるように形成してもよい。
【００４４】
さらに、図１２（ａ）（ｂ）は、別の変形例のヘアブラシ８０を示しており、ベース部８１の背面８１ａに設ける凸部８１ｃは、図１〜４に示すヘアブラシ１の凸部４ａ〜４ｇと同様に形成しているが、各凸部８１ｃの間の窪んだ箇所８１ｂに形成する貫通穴８２の形態を、図１〜４に示すヘアブラシ１の貫通穴８ａ〜８ｆと相異させている。すなわち変形例のヘアブラシ８０に係る貫通穴８２は、穴形状および開口の形状を楕円にしているが、楕円の長手方向をＸ軸方向にしていることが特徴である。このようにすることで、ヘアブラシ８０は、凸部８１ａの間で、開口面積が大きい貫通穴８２を形成することができ、１つあたりの貫通穴８２の通過風量を多くして、ドライヤの風を正面側へ送り込める。
【００４５】
また、図１３に示す変形例のヘアブラシ９０は、ブラシ部にブラシ毛ではなくブラシピン９３を設けたタイプであり、ブラシ部９９のブラシ基体９４（クッション部材）に複数のブラシピン９３を埋設している。この変形例では、各ブラシピン９３にピン孔９３ａが形成されると共に、ブラシ基体９４のブラシピン９３の埋設部９４ｃに連通孔９４ｂ（図１４（ａ）（ｂ）参照）が形成されたことが特徴になっている。
【００４６】
具体的には、図１４（ａ）（ｂ）にも示すように、ブラシピン９３は、埋設側の端部に係合部９３ｂを突設すると共に先端部９３ｃを半球状に形成し、さらに、ピン軸方向に沿ってピンを貫くピン孔９３ａを形成している。なお、このようなブラシピン９３の材質には、木を用いている。
【００４７】
一方、ブラシ基体９４は、カップ状の埋設部９４ｃの底部に連通孔９４を設けており、図１４（ａ）（ｂ）に示すように、埋設部９４ｃの内部の空間部９４ａにブラシピン９３の係合部９３ｂを埋設して係合固定すると、埋設部９４ｃの連通孔９４にブラシピン９３のピン孔９３ａが連通するようになる。なお、変形例のヘアブラシ９０は、上述した箇所以外は、図１〜４に示すヘアブラシ１と同等であり、図１３に示すように、ベース部９１の背面９１ａに複数の凸部９１ｃを形成すると共に、凸部９１ｃの間の窪んだ箇所９１ｂに貫通穴９２を穿設し、ブラシ部９９のブラシ基体９４に孔部９４ｄを形成している。
【００４８】
このような変形例のヘアブラシ９０の背面９１ａ側へドライヤの風を吹き付けると、図４に示すような風の流れに加えて、ベース部９１の貫通穴９２を抜け出た風が、ブラシ基体９４の埋設部９４ｃに設けた連通孔９４ｂおよびブラシピン９３のピン孔９３ａを通り抜けてブラシピン９３の先端部９３ｃから吹き出ると云う風の流れも形成される。よって、変形例のヘアブラシ９０は、ブラシ部９９を設けた正面側で、風の吹き出す総開口面積を、図１〜４に示すヘアブラシ１より多くできる上に、ブラシピン９３の先端部９３ｃからも風が吹き出すため、今までにない風の流れを利用してブラッシングまたは整髪などを行える。
【００４９】
図１５（ａ）（ｂ）に示すブラシピン９３′は、図１３、図１４（ａ）（ｂ）で示すブラシピン９３の変形例であり、図１３のヘアブラシ９０において、ブラシピン９３の替わりに用いることが可能なものである。ブラシピン９３′は、埋設側の端部に設けた係合部９３ｂ′から少し間隔をあけて、ブラシ基体９４の表面と当接してブラシピンの沈み込みを防止するフレア部９３ｅ′を突設しており、このフレア部９３ｅ′から半球状の先端部９３ｃ′にいたる範囲の断面形状（ピンの長手方向に直交する向きの断面の外周形状）を、図１５（ｂ）に示すように星形にしている。なお、ピン軸方向に沿ってピンを貫くピン孔９３ａ′は、ブラシピン９３′にも形成されている。また、係合部９３ｂ′側の端からフレア部９３ｅ′までの距離は、図１４（ａ）に示すブラシ基体９４における埋設部９４ｃの空間部９４ａの深さ寸法と同等または、深さ寸法より少し短い寸法に設定し、フレア部９３ｅ′の先端がブラシ基体９４の空間部９４ａの開口周縁に係合するようにしている。
【００５０】
このような変形例のブラシピン９３′を用いることで、先端部９３ｃ′からドライヤの風が吹き出すことに加えて、ヘアブラシでのブラッシングまたは整髪時、図１５（ｂ）に示す星形の断面形状の凹部９３ｇ′と毛髪の間に空間が生じ、この空間に、ブラシ基体９４の孔部９４ｄ（図１３参照）を抜け出た風が通るようになり、毛髪の乾燥などを素早く行えるようになる。さらに、ヘアブラシでのブラッシングまたは整髪の際に、ブラシピン９３′の星形の断面形状の突頂部９３ｆ′が、毛髪の表皮（キューティクル）と線接触的に接するので、図１３等に示すブラシピン９３に比べて毛髪との接触圧が高まり、毛髪のツヤが出しやすくなる。
【００５１】
なお、図１５（ａ）（ｂ）に示すブラシピン９３′は、断面形状を星形にする以外にも、多角形（三角形、四角形、五角形など）、十字形などにすることもできる。また、ブラシピン９３、９３′は、材質を木にする以外に、合成樹脂で成形することも勿論可能であると共に、静電気の帯電を防止するため、カーボンファイバーで形成することも可能である。さらに、ピン先端からの風の吹き出しが不要なときは、ピン孔９３ａ、９３ａ′の形成を省略することも可能である。
【００５２】
また、第１実施形態においては、上述したように様々な変形例について説明したが、各変形例は、可能であれば、適宜組み合わせてもよく、これらの変形例を組み合わせることで、さらに効率的にドライヤの風をヘアブラシの正面側に送り込むことが可能となる。また、ヘアブラシの寸法、形状などによっては、図３に示すような各凸部４ａ〜４ｇの間隔寸法をそれぞれ相異させること、各貫通穴８ａ〜８ｆの穴寸法を相異させることを採用しないで、それぞれを同寸法にしてもよい。
【００５３】
図１６、図１７（ａ）〜（ｃ）は、本発明の第２実施形態に係るヘアブラシ１００を示している。第２実施形態のヘアブラシ１００は合成樹脂による一体成型品であり、柄１０２の一端１０２ａに設けたベース部１０１に複数のブラシピン１０６からなるブラシ部１１１を直接的に設けた構造になっている。ヘアブラシ１００は、柄１０２の周囲に湾曲形状の凹部１０９および凸部１１０を交互に形成すると共に、ベース部１０１の周囲にも湾曲形状の凹部１０８および凸部１０７を形成し、外観のデザイン的な特徴を作り上げている。
【００５４】
また、図１７（ａ）（ｃ）に示すように、ヘアブラシ１００は、ベース部１０１の背面１０１ａに、Ｘ軸方向へ連なる形状の凸部１０３を、Ｙ軸方向に複数形成し、全体として複数の凸部１０３が平行的に配置されるようにしている。なお、図１７（ｃ）に示すように、凸部１０３の形状は、頂部から突出側へ末広がりの形状になっている。また、ヘアブラシ１００は、隣り合う凸部１０３同士の対向する斜面の間の窪んだ箇所１０４に、ベース部１０１を貫通する貫通穴１０５を形成している。なお、貫通穴１０５は、図１〜４に示す第１実施形態のヘアブラシ１と同様にテーパ形状にしていると共に、各凸部１０３の間でＸ軸方向へ所定の間隔を隔てて複数形成されている。さらに、ヘアブラシ１００は、ベース部１０１の表面１０１ｂより複数のブラシピン１０６を突設してブラシ部１１１を形成している。
【００５５】
このような第２実施形態に係るヘアブラシ１００においても、背面１０１ａからドライヤの風を吹き付けると、凸部１０３の間の窪んだ箇所１０４へ風が導かれて、貫通穴１０５を通過して正面１０１ｂへと風が吹き抜けるので、ブラッシングまたは整髪などのためにヘアブラシ１００を用いても、ヘアブラシ１００で遮られる頭髪箇所へ充分な風量の風を送り込むことができる。また、第２実施形態に係るヘアブラシ１００は、一体で成形できるため、大量生産に好適な形態となっている。なお、第２実施形態に係るヘアブラシ１００においても、第１実施形態で説明した各種変形例の中で適用可能な内容を、適宜用いるようにしてもよい。
【図面の簡単な説明】
【００５６】
【図１】本発明の第１実施形態に係るヘアブラシであり、（ａ）は背面側からの斜視図、（ｂ）は正面側からの斜視図である。
【図２】第１実施形態のヘアブラシの背面図である。
【図３】図２のＡ−Ａ線における断面図である。
【図４】第１実施形態のヘアブラシの使用状況を示す概略断面図である。
【図５】（a）は貫通穴がストレート穴である変形例を示す概略断面図、（ｂ）は変形例の貫通穴の穴形状を示す概略図、（ｃ）は別の変形例に係る貫通穴の穴形状を示す概略図である。
【図６】遮風部を具備した変形例のヘアブラシであり、（ａ）は背面図、（ｂ）は使用状況を示す概略図である。
【図７】遮風部を具備した別の変形例のヘアブラシであり、（ａ）は背面図、（ｂ）は使用状況を示す概略断面図である。
【図８】変形例の遮風部を示す概略断面図である。
【図９】Ｙ軸方向へ連なる形状の凸部を複数設けた変形例のヘアブラシであり、（ａ）は背面図、（ｂ）は（ａ）のＢ−Ｂ線における断面図である。
【図１０】Ｘ軸またはＹ軸方向に対して斜めとなる方向へ連なる形状の凸部を複数設けた変形例のヘアブラシであり、（ａ）は背面図、（ｂ）は（ａ）のＣ−Ｃ線における断面図である。
【図１１】クロスするように複数の凸部を設けた変形例のヘアブラシであり、（ａ）は背面図、（ｂ）は（ａ）のＤ−Ｄ線における断面図、（ｃ）は（ａ）のＥ−Ｅ線における断面図である。
【図１２】Ｘ軸方向を長手方向にする貫通穴を形成した変形例のヘアブラシであり、（ａ）は背面図、（ｂ）は（ａ）のＦ−Ｆ線における断面図である。
【図１３】ピン孔を形成したブラシピンを有する変形例のヘアブラシの断面図である。
【図１４】（ａ）はブラシピンを埋設する状態を示す概略断面図、（ｂ）はブラシピンを埋設した状態を示す概略断面図である。
【図１５】変形例のブラシピンであり、（ａ）は正面図、（ｂ）は（ａ）のＨ−Ｈ線における断面図である。
【図１６】本発明の第２実施形態に係るヘアブラシの斜視図である。
【図１７】第２実施形態のヘアブラシであり、（ａ）は背面図、（ｂ）は正面図、（ｃ）は（ａ）のＧ−Ｇ線における断面図である。
【符号の説明】
【００５７】
１  ヘアブラシ
２  ベース部
４ａ〜４ｇ  凸部
４ｄ−１、４ｅ−１  斜面
５  クッション部材
５ａ  孔部
６  ブラシ毛
７  柄
８ａ〜８ｆ  貫通穴
９  ブラシ部
３３、４３  遮風部
９３、９３′  ブラシピン
９３ａ、９３ａ′  ピン孔
９４ｂ  連通孔
【図１】
0004257370.tif 000002
【図２】
0004257370.tif 000003
【図３】
0004257370.tif 000004
【図４】
0004257370.tif 000005
【図５】
0004257370.tif 000006
【図６】
0004257370.tif 000007
【図７】
0004257370.tif 000008
【図８】
0004257370.tif 000009
【図９】
0004257370.tif 000010
【図１０】
0004257370.tif 000011
【図１１】
0004257370.tif 000012
【図１２】
0004257370.tif 000013
【図１３】
0004257370.tif 000014
【図１４】
0004257370.tif 000015
【図１５】
0004257370.tif 000016
【図１６】
0004257370.tif 000017
【図１７】
0004257370.tif 000018